(57)【要約】      （修正有）【課題】床面のバリアフリー化を図り、床面に対する穿孔作業を不要とし、組立ての容易な上吊り引き戸の振れ止め装置を提供する。【解決手段】出入口の上部に敷設したガイドレールに上吊り支持されたスライド可能な引き戸３の下面に案内溝６を設け、その案内溝６の戸先側端部および戸尻側端部のそれぞれに板状の永久磁石１１を相反する方向に向けて傾斜する組込みとし、床面には引き戸３の移動路に沿って振れ止め具２０を設ける。振れ止め具２０は、開口部を有する薄板状のベースプレート２１と、窓２２ｂを有する扁平なカバー２２と、ベースプレート２１に起伏自在に支持され、上記永久磁石１１の磁気吸引力により開口部および窓２２ｂに収容される伏倒状態から起立する方向に揺動する一対の振れ止めガイド板３３と、その振れ止めガイド板３３のそれぞれを、その揺動側端部が案内溝６に嵌合する状態で保持する仮止め機構とで形成する。【選択図】図３
2014088694.tif 000002
【特許請求の範囲】
【請求項１】
出入口の上部にガイドレールを敷設し、そのガイドレールにスライド自在に吊下げ支持された引き戸の下端面に戸先側端面から戸尻側端面に至る案内溝を設け、その案内溝の戸先側端部および戸尻側端部のそれぞれに板状の永久磁石を、戸先側端部では戸尻側端部に向けて上り勾配をもって傾斜状に設けると共に、戸尻側端部では戸先側端部に向けて上り勾配をもって傾斜状に設け、前記出入口の床面には、前記引き戸の開閉路に振れ止め具を取付け、
前記振れ止め具が、一対の開口部を有し、その開口部が引き戸の開閉方向に並ぶようにして前記床面上に固定される薄板状のベースプレートと、そのベースプレートの上面および外周面を覆い、前記開口部と対向する位置に窓が形成された扁平なカバーと、前記一対の開口部のそれぞれを幅方向に横切って前記ベースプレートにより両端部が支持されたピンを中心に起伏自在に支持され、前記永久磁石の磁気吸引力により前記開口部および前記窓内に収容される伏倒状態から起立する方向に向けて揺動する一対の磁性体からなる振れ止めガイド板と、その振れ止めガイド板を、その揺動側端部が前記案内溝に嵌合する傾斜状の起立状態で仮止めし、前記傾斜状の永久磁石が振れ止めガイド板の揺動側端部を伏倒方向に押圧する作用によって仮止めを解除する仮止め機構を有してなり、前記振れ止めガイド板の伏倒状態で、その上面がカバーの上面とほぼ同一面を形成するようにした上吊り引き戸の振れ止め装置。
【請求項２】
前記仮止め機構が、前記一対の振れ止めガイド板の起伏中心側の端部のそれぞれに向けてスライド自在に支持された一対の振れ止めカムと、その一対の振れ止めカムのそれぞれを振れ止めガイド板に向けて付勢する弾性部材とを有し、前記振れ止めカムの振れ止めガイド板と対向する先端部にカム突起を設け、前記一対の振れ止めガイド板の起伏中心側の端部それぞれに、その振れ止めガイド板の起立する方向への揺動によって前記対応する振れ止めカムのカム突起を押圧して振れ止めカムを離反する方向に移動させる係合爪を設け、その係合爪がカム突起の先端を通過する押圧解除後に弾性部材の押圧により振れ止めカムを復帰させて係合爪の上面にカム突起の下面を係合させるようにした構成からなる請求項１に記載の上吊り引き戸の振れ止め装置。
【請求項３】
前記振れ止め具を複数とし、その複数の振れ止め具を前記一対の永久磁石の対向間隔より狭い間隔をおいて前記引き戸の開閉路に沿って等間隔に設けた請求項１又は２に記載の上吊り引き戸の振れ止め装置。
【発明の詳細な説明】
【技術分野】
【０００１】
この発明は、建屋の出入口を開閉する上吊り引き戸の振れ止め装置に関する。
【背景技術】
【０００２】
建屋に設けられた出入口の上側にガイドレールを敷設し、そのガイドレールによってスライド自在に吊下げ支持された上吊り引き戸により出入口を開閉する上吊り引き戸装置においては、引き戸の下部を案内する必要がないため、出入口における床面のバリアフリー化を図ることができるという特徴を有している。
【０００３】
しかし、上記の引き戸装置においては、引き戸の閉鎖状態で、その引き戸の戸先側端部の下部を支持するものがないため、引き戸に付与される操作力の偏り等によって引き戸が閉鎖状態とされる手前の位置で表裏面側に大きく振れを生じる可能性があり、安定した閉鎖状態を得ることができない。また、開閉の際、引き戸の下部に振れが生じ、開閉操作性も悪いという問題がある。
【０００４】
そのような問題点を解決するため、特許文献１に記載された上吊り引き戸の振れ止め装置においては、上吊り引き戸の下面に設けられたガイド溝の戸先側端部に木口キャップを組込み、一方、上記引き戸の軌道下における床には、引き戸が閉鎖位置とされる少し手前の位置で上記木口キャップと上下で対向する位置に収納ケースを設け、上記木口キャップに設けられた磁石により収納ケース内に設けられた起伏可能な係合片を起立する方向に揺動させて鉛直状の起立状態に磁着保持し、その係合片の先端部を木口キャップに設けられた対向一対の保持板部間に嵌合させて、引き戸の振れを防止するようにしている。
【０００５】
また、特許文献２に記載された吊戸のガイド装置においては、床面にガイドピンを突出格納自在に設け、吊戸本体の下端面に形成された走行溝には、その両端部に一対のマグネットと、その一対のマグネット間に磁性体板とを設け、上記マグネットによりガイドピンを突出させ、そのガイドピンの上端部に設けられた磁石が磁性体板を吸着する作用により、ガイドピンの上部が走行溝内に嵌合する状態に保持し、そのガイドピンの走行溝に対する嵌合によって吊戸本体を振れ止めするようにしている。
【先行技術文献】
【特許文献】
【０００６】
【特許文献１】特開２０１０−１０６４４４号公報
【特許文献２】特開平８−３２６４０２号公報
【発明の概要】
【発明が解決しようとする課題】
【０００７】
ところで、特許文献１に記載された上吊り引き戸の振れ止め装置においては、床面のバリアフリー化を図るため、床面に取付凹部を穿設し、その取付凹部内に係合片を起伏自在に支持する収納ケースを収納するようにしているため、収納ケースの取り付けに穿孔作業を必要とし、装置の組立てに非常に手間がかかるという不都合がある。
【０００８】
一方、特許文献２に記載の吊戸のガイド装置においても、ガイドピンを突出格納自在に支持する筒状ケースを床に埋設するようにしているため、筒状ケースの埋設に穿孔作業を必要とし、特許文献１と同様に、装置の組立てに手間がかかるという不都合がある。
【０００９】
この発明の課題は、床面のバリアフリー化を図り、床面に対する穿孔作業を不要とする状態で組み立てとすることができるようにした組立ての容易な上吊り引き戸の振れ止め装置を提供することである。
【課題を解決するための手段】
【００１０】
上記の課題を解決するため、この発明においては、出入口の上部にガイドレールを敷設し、そのガイドレールにスライド自在に吊下げ支持された引き戸の下端面に戸先側端面から戸尻側端面に至る案内溝を設け、その案内溝の戸先側端部および戸尻側端部のそれぞれに板状の永久磁石を、戸先側端部では戸尻側端部に向けて上り勾配をもって傾斜状に設けると共に、戸尻側端部では戸先側端部に向けて上り勾配をもって傾斜状に設け、前記出入口の床面には、前記引き戸の開閉路に振れ止め具を取付け、前記振れ止め具が、一対の開口部を有し、その開口部が引き戸の開閉方向に並ぶようにして前記床面上に固定される薄板状のベースプレートと、そのベースプレートの上面および外周面を覆い、前記開口部と対向する位置に窓が形成された扁平なカバーと、前記一対の開口部のそれぞれを幅方向に横切って前記ベースプレートにより両端部が支持されたピンを中心に起伏自在に支持され、前記永久磁石の磁気吸引力により前記開口部および前記窓内に収容される伏倒状態から起立する方向に向けて揺動する一対の磁性体からなる振れ止めガイド板と、その振れ止めガイド板を、その揺動側端部が前記案内溝に嵌合する傾斜状の起立状態で仮止めし、前記傾斜状の永久磁石が振れ止めガイド板の揺動側端部を伏倒方向に押圧する作用によって仮止めを解除する仮止め機構を有してなり、前記振れ止めガイド板の伏倒状態で、その上面がカバーの上面とほぼ同一面を形成するようにした構成を採用したのである。
【００１１】
上記の構成からなる上吊り引き戸の振れ止め装置において、引き戸をスライドし、その引き戸の案内溝の戸先側端部または戸先側端部に設けられた永久磁石が一対の振れ止め具上を通過すると、その通過時において、永久磁石の磁気吸引力により振れ止めガイド板が上方に向けて揺動して、揺動側端部が案内溝内に嵌合する。振れ止めガイド板が上方に所定角度揺動して傾斜状態になると、仮止め機構が作動し、振れ止めガイド板が傾斜状の起立状態に仮止めされる。その仮止めにより、振れ止めガイド板の揺動側端部は案内溝内に嵌合する状態に保持され、その嵌合によって引き戸は振れ止めされる。
【００１２】
一対の振れ止めガイド板の揺動側端部が引き戸の案内溝に嵌合する状態から引き戸がスライドされ、そのスライド方向の後行側の端部に設けられた傾斜状の永久磁石が一対の振れ止め具上を通過すると、その通過時、永久磁石は傾斜状の起立状態に仮止めされている振れ止めガイド板の揺動側端部を伏倒方向に押圧する。その押圧により開止め機構の仮止めが解除し、振れ止めガイド板が下向きに揺動して揺動側端部が案内溝から抜け出し、伏倒状態となってカバーに形成された窓およびベースプレートに形成された開口部内に収容される。
【００１３】
このとき、扁平なカバーの上面と振れ止めガイド板の上面はほぼ同一面を形成するため、床面からの盛り上がりは小さく、床面上に固定された振れ止め具が歩行の障害となるようなことはない。したがって、バリアフリー化を図る状態で引き戸の振れ止めとすることができる。
【００１４】
この発明に係る上吊り引き戸の振れ止め装置において、仮止め機構として、一対の振れ止めガイド板の起伏中心側の端部のそれぞれに向けてスライド自在に支持された一対の振れ止めカムと、その一対の振れ止めカムのそれぞれを振れ止めガイド板に向けて付勢する弾性部材とを有し、上記振れ止めカムの振れ止めガイド板と対向する先端部にカム突起を設け、上記一対の振れ止めガイド板の起伏中心側の端部それぞれに、その振れ止めガイド板の起立する方向への揺動によって振れ止めカムのカム突起を押圧して振れ止めカムを離反する方向に移動させる係合爪を設け、その係合爪がカム突起の先端を通過する押圧解除後に弾性部材の押圧により振れ止めカムを復帰させて係合爪の上面にカム突起の下面を係合させるようにした構成のものを採用することができる。
【００１５】
ここで、振れ止め具を複数とし、その複数の振れ止め具を一対の永久磁石の対向間隔より狭い間隔をおいて引き戸の開閉路に沿って等間隔に設けると、常に一つの振れ止め具が引き戸の下方に配置されることになると共に、その振れ止め具の振れ止めガイド板が傾斜状の起立状態に保持されて揺動側の端部が案内溝内に嵌合する状態とされるため、引き戸の移動路の全体にわたって引き戸を振れ止めすることができる。
【発明の効果】
【００１６】
この発明においては、上記のように、引き戸のスライド方向の先行側に位置する永久磁石が床面上に固定された振れ止め具上を通過すると、その永久磁石の磁気吸引力により振れ止めガイド板が起立する方向に揺動して、その揺動側の端部が引き戸の下面に形成された案内溝内に嵌合するため、その嵌合によって引き戸の振れを防止することができる。
【００１７】
また、振れ止めガイド板が傾斜状の起立状態に保持されると、仮止め機構が作動して、振れ止めガイド板を傾斜状の起立状態に保持するため、引き戸のスライド方向の後行側の永久磁石が振れ止め具上を通過する間、引き戸を振れ止め状態に保持することができ、開閉操作性に優れた引き戸装置を得ることができる。
【００１８】
さらに、振れ止めガイド板を揺動自在に支持する薄板状のベースプレートに開口部を設け、そのベースプレートの上面および外周を覆う扁平なカバーに窓を形成し、その窓と上記開口部によって伏倒状態の振れ止めガイド板を収容して、その上面をカバーの上面とほぼ同一面を形成する状態に保持しているため、薄肉の振れ止め具を得ることができ、床面上にベースプレートを固定する取付けとすることができる。このため、床面に対する穿孔作業を不要とする状態でバリアフリー化を図ることができることになり、きわめて容易な組立てとすることができる。
【図面の簡単な説明】
【００１９】
【図１】この発明に係る上吊り引き戸の振れ止め装置の実施の形態を示す一部切欠正面図
【図２】図１のII−II線に沿った断面図
【図３】図１に示す上吊り引き戸の戸尻側下端部を拡大して示す断面図
【図４】図３に示す振れ止め具の一部切欠平面図
【図５】（イ）は、図４のＶ−Ｖ線に沿った断面図、（ロ）は、（イ）の一部を拡大して示す断面図
【図６】図４のVI−VI線に沿った断面図
【図７】図４のVII−VII線に沿った断面図
【図８】振れ止め具の分解斜視図
【図９】振れ止め具の振れ止めガイド板の起伏初期の状態を示す断面図
【図１０】振れ止め具の振れ止めガイド板の起伏途中の状態を示す断面図
【図１１】振れ止め具の振れ止めガイド板の傾斜状の起伏状態を示す断面図
【発明を実施するための形態】
【００２０】
以下、この発明の実施の形態を図面に基づいて説明する。図１および図２に示すように、建屋に形成された出入口１の上側にはガイドレール２が設けられ、そのガイドレール２に引き戸３がスライド自在に上吊り支持されている。
【００２１】
引き戸３の上吊り支持に際し、ここでは、引き戸３の上面における戸先側端部と戸尻側端部のそれぞれにガイドレール２に形成されたガイド溝２ａに沿って移動可能なランナー４を取付け、そのランナー４に支持された回転可能なローラ５をガイドレール２のガイド溝２ａの開口部に設けられた対向一対の内向きフランジ２ｂで転動自在に支持して、引き戸３を開閉自在としている。
【００２２】
なお、引き戸３の上吊り支持はこれに限定されない。例えば、ガイドレールに直線状のレール突条を設け、そのレール突条に引き戸の上側に回転自在に支持された溝付きローラを載置するようにしてもよい。
【００２３】
引き戸３の下端面には戸先側端面から戸尻側端面に至る案内溝６が形成され、その案内溝６の戸先側端部および戸尻側端部のそれぞれにホルダ嵌合凹部７が形成され、そのホルダ嵌合凹部７内に磁石ホルダ１０が組み込まれている。
【００２４】
図１および図３に示すように、磁石ホルダ１０には板状の永久磁石１１が傾斜状に保持されている。案内溝６の戸先側端部に組み込まれる磁石ホルダ１０においては、永久磁石１１が戸尻側端部に向けて上り勾配をもって傾斜する組込みとされ、一方、案内溝６の戸尻側端部に組み込まれる磁石ホルダ１０においては、永久磁石１１が戸先側端部に向けて上り勾配をもって傾斜する組込みとされて、ホルダ嵌合凹部７の頂壁面にねじ込まれるビス１２の締め付けにより固定されている。
【００２５】
磁石ホルダ１０には、傾斜状の永久磁石１１の下面側に、磁石ホルダ１０の内側面および下面で開口する凹部１３が設けられ、その凹部１３の幅寸法は案内溝６の幅寸法と同一とされている。
【００２６】
図１乃至図３に示すように、出入口１の床面８には、引き戸３の開閉路に沿って複数の振れ止め具２０が等間隔に設けられ、その振れ止め具２０の取付けピッチＰは、一対の磁石ホルダ１０の対向間隔Ｗよりやや小さくなっている（Ｐ＜Ｗ）。
【００２７】
図４乃至図８に示すように、振れ止め具２０は、ベースプレート２１と、そのベースプレート２１の上面および外周面を覆うカバー２２とを有している。
【００２８】
ベースプレート２１は、厚さが１．５ｍｍ程度とされた帯状の金属薄板からなる。そのベースプレート２１には、長さ方向の中央部を挟む両端側に一対の角形の開口部２３が形成され、その開口部２３の対向端部のそれぞれに開口部２３より幅寸法の小さな切欠部２４が設けられている。
【００２９】
また、ベースプレート２１には、長さ方向の両端部に幅方向に長いビス挿入孔２５が設けられている。ビス挿入孔２５は座ぐり２５ａを上側に有し、その座ぐり２５ａからビス挿入孔２５に挿入されて床面８にねじ込まれるビス２６の締め付けによって床面８にベースプレート２１が固定される。この場合、ベースプレート２１は、開口部２３が引き戸の開閉方向（スライド方向）に並ぶ取り付けとされる。
【００３０】
なお、床面８が木製のボードにより形成されている場合は、ビス２６に代えてタッピングねじを用いてベースプレート２１を取付けるようにしてもよい。また、ねじ止めに代えて、接着するようにしてもよい。
【００３１】
カバー２２は、厚さが１．５ｍｍ程度とされた薄金属板のプレス成形により形成されて高さが３．７ｍｍ程度の周壁２２ａを外周に有しており、その周壁２２ａをベースプレート２１の外周に嵌合することによってカバー２２は取付け状態とされる。カバー２２には、ベースプレート２１に形成された上述の開口部２３と対応する位置に、その開口部２３とほぼ同一形状でほぼ同じ大きさの窓２２ｂが形成されている。
【００３２】
ベースプレート２１の長さ方向の中央部には押え板２７が衝合され、その押え板２７に形成されたビス挿入孔２８からベースプレート２１に形成されたねじ孔２９にねじ込まれる複数のビス３０の締め付けによって押え板２７は取付け状態とされている。
【００３３】
押え板２７は、ベースプレート２１と同様に、厚さが１．５ｍｍ程度とされた金属薄板からなり、その両端縁間の長さは対向一対の開口部２３の対向間隔より短くされている。
【００３４】
押え板２７の両端縁には対向一対の押え片２７ａが連設され、その対向一対の押え片２７ａの対向間隔はベースプレート２１に形成された上記切欠部２４の幅寸法より少し大きくされている。
【００３５】
また、押え板２７の両側縁には、対向一対の押え片２７ａ間に切欠き２７ｂが設けられている。切欠き２７ｂはベースプレート２１の切欠部２４と上下で対向し、その幅寸法は上記切欠部２４の幅寸法より大きくなっている。
【００３６】
押え板２７の対向一対の押え片２７ａとベースプレート２１の衝合面には、その衝合面のそれぞれに対する半円形溝の形成によって一対のピン孔３１が設けられ、そのピン孔３１のそれぞれによってピン３２の両端部が支持されている。
【００３７】
ピン３２は、ベースプレート２１に形成された開口部２３を幅方向に横切り、そのピン３２を中心にして振れ止めガイド板３３が起伏自在に支持されている。振れ止めガイド板３３として、ここでは、厚さ１．５ｍｍの磁性を有する薄金属板の両端部を同方向に折り曲げて芯板３３ａを形成し、その芯板３３ａの下面を除く表面の全体に樹脂のコート層３３ｂを設けた構成としているが、全体を磁性を有する金属により形成してもよい。
【００３８】
振れ止めガイド板３３の一端部にはピン挿入孔３４が形成され、そのピン挿入孔３４内にピン３２が挿入されている。振れ止めガイド板３３の厚さは３．５ｍｍ程度とされている。また、振れ止めガイド板３３の平面形状はカバー２２に形成された窓２２ｂとほぼ同一形状で同一の大きさとされ、伏倒状態ではその窓２２ｂおよびベースプレート２１に形成された開口部２３に収容されて、上面がカバー２２の上面とほぼ同一面を形成するようになっている。
【００３９】
振れ止めガイド板３３は、引き戸３の下部に設けられた永久磁石１１の磁気吸引力が付加されると、起立する方向に揺動するようになっている。そして、所定角度揺動し、その揺動側の端部が磁石ホルダ１０の凹部１３内に嵌合する傾斜状の起立状態になると、起伏中心側の端部下面に設けられた傾斜状のストッパ面３５が床面８に当接し、その当接によって起伏方向への揺動角度が制限されるようになっている。
【００４０】
また、振れ止めガイド板３３は、仮止め機構４０により、ストッパ面３５が床面８に当接し、揺動側の端部が磁石ホルダ１０の凹部１３内に嵌合する傾斜状の起立状態で仮止めされるようになっている。
【００４１】
仮止め機構４０は、ベースプレート２１に形成された切欠部２４内に振れ止めガイド板３３の起伏中心側の端部に向けてスライド可能な振れ止めカム４１と、その一対の振れ止めカム４１を振れ止めガイド板３３に向けて付勢する弾性部材４２と、その弾性部材４２を保持するばねホルダ４３とを組込み、上記振れ止めカム４１の振れ止めガイド板３３と対向する先端部に上側がテーパ面４４ａとされたカム突起４４を設け、一方、振れ止めガイド板３３の起伏中心側端部に、上方への揺動時にカム突起４４のテーパ面４４ａを押圧して振れ止めカム４１を後退動させる三角形状の係合爪４５を設け、その係合爪４５がカム突起４４の先端を通過する押圧解除後に弾性部材４２の押圧により振れ止めカム４１を復帰させ、係合爪４５の上面にカム突起４４の下面を係合させて振れ止めガイド板３３を傾斜状の起立状態に仮止めしている。
【００４２】
ここで、振れ止めカム４１の両側にはガイド溝４１ａが形成され、そのガイド溝４１ａ内に切欠部２４の両側に設けられたガイド突条４６が嵌合され、そのガイド突条４６に沿って振れ止めカム４１はスライド自在とされている。
【００４３】
また、振れ止めカム４１の先端部における中央部には突起部４１ｂが設けられ、ピン３２に対する突起部４１ｂの当接によって振れ止めカム４１は復帰位置が規制されるようになっている。
【００４４】
実施の形態で示す上吊り引き戸の振れ止め装置は上記の構造からなり、図１は、引き戸３が出入口１を閉鎖している状態を示す。その閉鎖状態において、引き戸３の戸尻側端部から開放方向に偏った位置に配置された振れ止め具２０においては、図３に示すように、一対の振れ止めガイド板３３が伏倒状態とされている。その伏倒状態の振れ止めガイド板３３はカバー２２に形成された窓２２ｂ内に収容されて、上面がカバー２２の上面とほぼ同一高さに保持されている。
【００４５】
図１に示す閉鎖状態から引き戸３を開放方向にスライドし、引き戸３の戸尻側の下端部に設けられた磁石ホルダ１０が振れ止め具２０の一方の振れ止めガイド板３３に対向し始めると、磁石ホルダ１０に保持された永久磁石１１の磁気吸引力により、一方の振れ止めガイド板３３がピン３２を中心にして起立する方向に揺動する。
【００４６】
図９は、一方の振れ止めガイド板３３の揺動開始直後の状態を示し、その一方の振れ止めガイド板３３の揺動時、振れ止めガイド板３３の起伏中心側の端部に設けられた係合爪４５が振れ止めカム４１のカム突起４４のテーパ面４４ａを押圧するため、振れ止めカム４１は、弾性部材４２の弾性に抗して振れ止めガイド板３３から離反する方向に移動（後退動）する。
【００４７】
図９に示す状態から、引き戸３が同図の矢印で示す開放方向にさらにスライドすると、図１０に示すように、一方の振れ止めガイド板３３の揺動角度が大きくなり、その揺動側端部が永久磁石１１と接触する状態になって磁石ホルダ１０の凹部１３内に嵌合する。また、係合爪４５の押圧によって振れ止めカム４１はさらに後退動する。
【００４８】
一方の振れ止めガイド板３３の揺動角度が引き戸３のスライドと共に大きくなり、所定角度揺動すると、ストッパ面３５が床面８に当接する。その当接により一方の振れ止めガイド板３３は、それ以上起立する方向に揺動するのが規制される。
【００４９】
このとき、係合爪４５は、その先端が振れ止めカム４１のカム突起４４の先端を通過して振れ止めカム４１に対する押圧を解除し、その押圧解除により、弾性部材４２の復元弾性により振れ止めカム４１が復帰し、図１１に示すように、振れ止めカム４１のカム突起４４が振れ止めガイド板３３の係合爪４５の上面に係合する。その係合によって、振れ止めガイド板３３は、揺動側の端部が凹部１３に嵌合する傾斜状態に保持される。
【００５０】
図１１に示す状態から、引き戸３が同図の矢印で示す方向にさらにスライドすると、振れ止めガイド板３３の揺動側端部は引き戸３の案内溝６内に嵌り込む。また、永久磁石１１は残る振れ止めガイド板３３上を通過する。その通過により、残りの振れ止めガイド板３３も永久磁石１１の磁気吸引力により起立する方向に揺動して、その揺動側の端部が案内溝６内に嵌合する傾斜状態とされると共に、係合爪４５の上面に対する振れ止めカム４１のカム突起４４の係合によって傾斜状態に保持される。
【００５１】
このように、引き戸３の戸尻側の下端部内に組み込まれた磁石ホルダ１０の永久磁石１１が振れ止め具２０の取付け位置を通過すると、一対の振れ止めガイド板３３は、その揺動側の端部が引き戸３の下面に形成された案内溝６内に嵌合する傾斜状態に保持されるため、案内溝６と一対の振れ止めガイド板３３の揺動側端部の嵌合によって、引き戸３は振れ止めされることになる。
【００５２】
ここで、床面８に取付けられた複数の振れ止め具２０の取付けピッチＰは、案内溝６の戸先側と戸尻側に組み込まれた一対の磁石ホルダ１０の対向間隔Ｗよりやや小さくなっているため、複数の振れ止め具２０のいずれか一つの振れ止め具２０の一対の振れ止めガイド板３３の揺動側端部が案内溝６に常に嵌合する状態とされる。このため、引き戸３の移動路の全長にわたって引き戸３の振れを防止することができると共に、引き戸３を円滑に開閉操作することができ、開閉操作性に優れた引き戸の開閉装置を得ることができる。
【００５３】
振れ止め具２０における一対の振れ止めガイド板３３のが傾斜状態に保持され、その揺動側端部が案内溝６に係合する状態で、引き戸３を開放方向または閉鎖方向にスライドすると、後行側に設けられた傾斜状の永久磁石１１が傾斜状態に保持された一対の振れ止めガイド板３３の揺動側端部を順次押圧する。その押圧により、一対の振れ止めガイド板３３のそれぞれは伏倒する方向に揺動して、図５（イ）で示すように、カバー２２に形成された窓２２ｂおよびベースプレート２１に形成された開口部２３内に収容される。
【００５４】
その収容状態において、一対の振れ止めガイド板３３の上面はカバー２２の上面とほぼ同一面を形成する状態とされ、また、カバー２２は、その周壁２２ａの高さが３．７ｍｍ程度であるため、振れ止め具２０が歩行の障害となるようなことはない。
【００５５】
また、薄肉の振れ止め具２０を得ることができるため、振れ止め具２０は床面８上にベースプレート２１を固定する取付けとすることができ、床面８に対する穿孔作業を不要とすることができ、きわめて容易な組立てとすることができる。
【符号の説明】
【００５６】
１    出入口
２    ガイドレール
３    引き戸
６    案内溝
８    床面
１１  永久磁石
２０  振れ止め具
２１  ベースプレート
２２  カバー
２２ａ  周壁
２２ｂ  窓
２３  開口部
３２  ピン
３３  振れ止めガイド板
４０  仮止め機構
４１  振れ止めカム
４２  弾性部材
４４  カム突起
４５  係合爪
【図１】
2014088694.tif 000003
【図２】
2014088694.tif 000004
【図３】
2014088694.tif 000005
【図４】
2014088694.tif 000006
【図５】
2014088694.tif 000007
【図６】
2014088694.tif 000008
【図７】
2014088694.tif 000009
【図８】
2014088694.tif 000010
【図９】
2014088694.tif 000011
【図１０】
2014088694.tif 000012
【図１１】
2014088694.tif 000013